(57)【要約】【課題】  液晶表示パネルの有効表示領域に輝線が生じないようにした液晶表示装置を提供すること。【解決手段】  液晶表示パネル１１と、管状バックライト光源と２１、周囲に前記管状バックライト光源収納部を備えた導光板１７と、前記液晶表示パネルの周辺に設けられた駆動用ＩＣへの接続部と、を備えた液晶表示装置において、前記導光板１７は、前記管状バックライト光源収納部２４の前記液晶表示パネル１１と対向する側に前記管状バックライト光源を覆う庇２３を有し、前記導光板の庇２３のうち、前記液晶表示パネルの駆動用ＩＣへ１２ａ、１２ｂの接続部が設けられていない周辺に対向する部分２３ｂを乳白色に加工する。【選択図】      図６
2006171378.tif 000002
【特許請求の範囲】
【請求項１】
液晶表示パネルと、
前記液晶表示パネルの下方に配置された導光板と、
前記導光板の周辺に配置されたバックライト光源と、
を備えた液晶表示装置において、
前記液晶表示パネルの周辺には、駆動用ＩＣへの接続部が設けられた接続辺と、接続部
が設けられていない未接続辺があり、
前記導光板には、前記バックライト光源と前記液晶表示パネルとの間に前記バックライ
ト光源を覆う庇が形成されており、
前記液晶表示パネルの未接続辺においては、前記導光板の庇は不透明に加工されている
ことを特徴とする液晶表示装置。
【請求項２】
前記液晶表示パネルの接続辺においては、前記導光板の庇は透明に加工されていること
を特徴とする請求項１に記載の液晶表示装置。
【請求項３】
液晶表示パネルと、
前記液晶表示パネルの下方に配置された導光板と、
前記導光板の周辺に配置されたバックライト光源と、
を備えた液晶表示装置において、
前記液晶表示パネルの周辺には、駆動用ＩＣへの接続部が設けられた接続辺と、接続部
が設けられていない未接続辺があり、
前記導光板には、前記バックライト光源と前記液晶表示パネルとの間に前記バックライ
ト光源を覆う透明な庇部分と不透明な庇部分とが形成されており、
前記液晶表示パネルの接続辺においては、前記透明な庇部分が位置していることを特徴
とする液晶表示装置。
【請求項４】
液晶表示パネルと、
前記液晶表示パネルの下方に配置された導光板と、
前記導光板の周辺に配置されたバックライト光源と、
を備えた液晶表示装置において、
前記液晶表示パネルの周辺には、駆動用ＩＣへの接続部が設けられた接続辺と、接続部
が設けられていない未接続辺があり、
前記液晶表示パネルの未接続辺において、前記バックライト光源と前記液晶表示パネル
との間に前記バックライト光源を覆う不透明な庇部分が前記導光板に形成されていること
を特徴とする液晶表示装置。
【請求項５】
前記導光板は二色成形加工によって形成したものであることを特徴とする請求項１から
４の何れかに記載の液晶表示装置。
【請求項６】
前記駆動用ＩＣは、前記駆動用ＩＣへの接続部に直接配置、箔状電極を有する樹脂フィ
ルムに支持、又は、液晶表示パネルとは別体の制御回路基板に配置されていることを特徴
とする請求項１から５の何れかに記載の液晶表示装置。
【請求項７】
前記バックライト光源は、Ｌ字状又はＵ字状の管状光源であることを特徴とする請求項
１から６の何れかに記載の液晶表示装置。
【発明の詳細な説明】
【技術分野】
【０００１】
本発明は、液晶表示装置に関し、特に液晶表示パネルに現れるバックライト光源による
輝線の発生を防止するために、液晶表示パネルの背面に配置される導光板に輝線防止の手
段を設けた液晶表示装置に関する。
【背景技術】
【０００２】
コンピュータ、携帯情報端末、携帯電話、テレビジョン装置などの表示装置として、低
消費電力で薄型、軽量である液晶表示装置が多く賞用されるようになってきている。これ
らの表示装置の中でカーナビゲーション装置の表示装置については、最近特に高輝度化が
要求されており、特許文献１及び２に開示されているように、輝度を高めるためにバック
ライト光源としてＬ字状やＵ字状の冷陰極管ランプが積極的に使用されるようになってき
た。
【０００３】
カーナビゲーション装置等の小型の液晶表示装置は、通常、液晶表示パネル、拡散シー
トやプリズムシートなどの光学シート、導光板、反射シート、これらのものを囲む樹脂枠
、導光板の側端面に近接するバックライト光源セット、それらを収納して背面を覆う底板
及び液晶表示パネル前面の周囲と組立体の側面をカバーする前面枠を有し、また、液晶表
示パネルのいわゆる額縁部にはゲートドライバＩＣ及びソースドライバＩＣからなる駆動
用ＩＣをＣＯＧ（Chip On Glass）方式より直接実装あるいは箔状電極を有する樹脂フィ
ルムに支持するＴＡＢ方式により設けられ、これらの各ドライバＩＣに接続された制御回
路が搭載された制御回路基板により駆動されるようになっている。
【０００４】
すなわち、カーナビゲーション装置等の液晶表示装置１０は、たとえば図１の分解斜視
図に示したように、液晶表示パネルを駆動するゲートドライバＩＣ１２ａ及びソースドラ
イバＩＣ１２ｂからなる駆動用ＩＣをＣＯＧ方式により直接基板上に実装した液晶表示パ
ネル１１と、液晶表示パネル１１の各駆動用ＩＣに接続され、それらの駆動用ＩＣを制御
するコントローラその他の電子部品を搭載した制御回路基板（図示せず）に接続するため
のフレキシブル印刷配線（ＦＰＣ）基板１３ａ、１３ｂと、液晶表示パネル１１の背面に
配置したたとえば３枚の光学シート１５ａ〜１５ｃと、矩形平板状のアクリル樹脂製の導
光板１７と、導光板の背面に配置した白色の反射板１８と、反射板の背面を覆う底板（ケ
ース）１９が組み合わせられ、これらの構成部材が、樹脂枠１４の上側には液晶表示パネ
ル１１が支持され、下側にはその他の構成部材が嵌め込まれて収納され、底板１９と嵌合
するように液晶表示パネル１１の前面から前面枠２２を嵌め込んで組立てられる。
【０００５】
そして、導光板１７の周囲にはその側端面に沿って庇２３が設けられており、管状バッ
クライト光源２１が導光板１７のこの庇２３と樹脂枠１４と反射板１８との隙間に形成さ
れる管状バックライト光源収納部２４に配置されて取付けられている。この管状バックラ
イト光源２１は透明なアクリル樹脂製等の導光板１７の入光面であるサイドエッジ（側端
面）に管状バックライト光源２１の出射面が平行になるよう配置されている。また、ＦＰ
Ｃ１３ａ、１３ｂは、樹脂枠１４の側面を回して裏面に導かれ、反射板１８の背面に設け
られた図示しない制御回路基板に取付けられるようになっている。
【０００６】
このような構成の液晶表示装置１０において、管状バックライト光源２１は液晶表示パ
ネル１１の有効表示領域Ｄｅの外側に位置するように、対応する導光板の有効発光領域Ｒ
ｅの外側に設けられる。しかしながら、カーナビゲーション装置等の液晶表示装置１０に
おいては、前面枠２２を狭くして液晶表示パネル１１の有効表示領域Ｄｅを大きくする狭
額縁化の要請があり、図２に見られるように、液晶表示パネル１１の未接続辺側、つまり
液晶表示パネル１１のゲートドライバＩＣ１２ａ及びソースドライバＩＣ１２ｂからなる
駆動用ＩＣが存在しない側１１ｃ、１１ｄでは有効表示領域Ｄｅと周辺との間にほとんど
距離的な余裕のない切り詰めた配置がなされている。なお、図２は図１の従来例の液晶表
示装置において全面枠２２を取り除いた状態の平面図である。
【０００７】
このため、バックライト装置の導光板１７も同じような配置となり、たとえば、図２の
Ａ−Ａ断面図である図７に示したように、液晶表示パネル１１の接続辺側、つまり液晶表
示パネル１１の各駆動用ＩＣ１２ａ、１２ｂが存在する側１１ａ、１１ｂでは、液晶表示
パネル１１の有効表示領域Ｄｅと管状バックライト光源２１との間に距離があるが、液晶
表示パネル１１の駆動用ＩＣが存在しない側１１ｃ、１１ｄでは、図２のＢ−Ｂ断面図で
ある図８に示したように、液晶表示パネル１１の有効表示領域Ｄｅと管状バックライト光
源２１との間にほとんど距離的な余裕がない。したがって、たとえば画面の輝度を高める
ためにＵ字状ランプを使用した場合、駆動用ＩＣが存在しない側１１ｄを観察者側から見
ると、管状バックライト光源２１の光が漏れて周辺に沿って明るい筋状の輝線として観察
されてしまう問題があった。
【０００８】
導光板１７は、構造的にみると管状バックライト光源収納部２４を形成する庇２３が導
光板につながるコーナー部２３ａに管状バックライト光源の光が集まりやすいので、その
部分が一番輝線になりやすく、液晶表示パネル１１の有効表示領域Ｄｅまでに距離的な余
裕のない駆動用ＩＣが存在しない側１１ｃ、１１ｄで輝線が見えてしまうのである。一方
、駆動用ＩＣの存在する側１１ａ、１１ｂには、液晶表示パネル１１の有効表示領域Ｄｅ
と管状バックライト光源２１との間に距離的な余裕が必然的に生じてしまうため、このよ
うな問題は生じ難い。
【０００９】
そこで、上述のような輝線が見えなくなるようにするため、下記特許文献１に開示され
ている発明のように、光源の外周に光の漏洩防止のため金、銀、アルミニウム等の金属を
蒸着した塩化ビニルシート等の可撓性を有する反射フィルムを導光板の端部に貼り付け、
導光板の側面及び光源ランプの背面を覆うようにすることも考えられるが、このような貼
り付け加工は手作業となるので面倒であり、また、工数増の原因となってコスト高になる
こと、貼りつけのムラが大きく輝線が見えたり見えなかったりして信頼性が十分でないこ
と等の問題がある。また、下記特許文献２に開示されている発明のように、低透過率の反
射板でランプ直上の光入射面を囲った場合は、反射板を施せるのはランプ収納室の際まで
であり、それ以上反射板を広げると導光板への入射光の損失が大きくなるので、一番輝線
の起き易いところがカバーできないため輝線の防止にはならず、また直接蒸着などで反射
膜を設けるとコストアップの要因となる問題がある。
【特許文献１】特開平５−２３２４６８号公報（図１、〔００１８〕）
【特許文献２】特開２０００−２９４０２４号公報（〔００３０〕〜〔００３２〕）
【発明の開示】
【発明が解決しようとする課題】
【００１０】
以上述べたように、従来の液晶表示装置１０においては、液晶表示パネル１１の特に輝
線の観察される恐れのある各駆動用ＩＣ１２ａ、１２ｂが配置されていない側１１ｃ、１
１ｄでの輝線防止対策が求められている。また、その対策は安価で確実なものであること
が必要である。
【００１１】
本願の発明者は、前記の問題点を解決すべく種々検討を行った結果、バックライト光源
を覆う導光板周囲の庇部分に着目し、この部分から直接輝線が見えないように導光板を改
良することによって、問題を解決することができることを見出し、本発明を完成するに至
ったものである。
【００１２】
すなわち、本発明の目的は、液晶表示パネルの有効表示領域に輝線の発生を無くすこと
ができる液晶表示装置を提供し、もって、狭額縁化を図りながら表示品質の向上した液晶
表示装置を提供することにある。
【課題を解決するための手段】
【００１３】
本発明の前記目的は以下の構成により達成し得る。すなわち、本願の請求項１に係る液
晶表示装置の発明は、液晶表示パネルと、前記液晶表示パネルの下方に配置された導光板
と、前記導光板の周辺に配置されたバックライト光源と、を備えた液晶表示装置において
、前記液晶表示パネルの周辺には、駆動用ＩＣへの接続部が設けられた接続辺と、接続部
が設けられていない未接続辺があり、前記導光板には、前記バックライト光源と前記液晶
表示パネルとの間に前記バックライト光源を覆う庇が形成されており、前記液晶表示パネ
ルの未接続辺においては、前記導光板の庇は不透明に加工されていることを特徴とする。
【００１４】
また本願の請求項２に係る発明は、請求項１の液晶表示装置において、前記液晶表示パ
ネルの接続辺においては、前記導光板の庇は透明に加工されていることを特徴とする。
【００１５】
また本願の請求項３に係る発明は、液晶表示パネルと、前記液晶表示パネルの下方に配
置された導光板と、前記導光板の周辺に配置されたバックライト光源と、
を備えた液晶表示装置において、前記液晶表示パネルの周辺には、駆動用ＩＣへの接続部
が設けられた接続辺と、接続部が設けられていない未接続辺があり、前記導光板には、前
記バックライト光源と前記液晶表示パネルとの間に前記バックライト光源を覆う透明な庇
部分と不透明な庇部分とが形成されており、前記液晶表示パネルの接続辺においては、前
記透明な庇部分が位置していることを特徴とする。
【００１６】
また本願の請求項４に係る発明は、液晶表示パネルと、前記液晶表示パネルの下方に配
置された導光板と、前記導光板の周辺に配置されたバックライト光源と、
を備えた液晶表示装置において、前記液晶表示パネルの周辺には、駆動用ＩＣへの接続部
が設けられた接続辺と、接続部が設けられていない未接続辺があり、前記液晶表示パネル
の未接続辺において、前記バックライト光源と前記液晶表示パネルとの間に前記バックラ
イト光源を覆う不透明な庇部分が前記導光板に形成されていることを特徴とする。
【００１７】
また本願の請求項５に係る発明は、請求項１から４の何れかに記載の液晶表示装置にお
いて、前記導光板は二色成形加工によって形成したものであることを特徴とする。
【００１８】
また本願の請求項６に係る発明は、請求項１から５の何れかに記載の液晶表示装置にお
いて、前記駆動用ＩＣは、前記駆動用ＩＣへの接続部に直接配置、箔状電極を有する樹脂
フィルムに支持、又は、液晶表示パネルとは別体の制御回路基板に配置されていることを
特徴とする。
【００１９】
また本願の請求項７に係る発明は、請求項１から６の何れかに記載の液晶表示装置にお
いて、前記バックライト光源は、Ｌ字状又はＵ字状の管状光源であることを特徴とする。
【発明の効果】
【００２０】
本発明は上記構成を備えることにより以下のような優れた効果を奏する。すなわち、本
願の請求項１また請求項３、請求項４に係る発明によれば、観察者側から液晶表示パネル
を見た場合、有効表示領域にバックライト光源による輝線が見えなくなり、加えて、従来
例のように、導光板に対する反射板の貼り付けやランプハウスの装着などの必要がなく、
バックライト光源の組立作業を効率的に行うことができ、液晶表示パネルの有効表示領域
の拡大と額縁部の狭小化が容易であり、カーナビゲーション装置等の表示装置等として有
用な液晶表示装置を提供できる。
【００２１】
また、本願の請求項２に係る発明によれば、接続辺に位置する導光板の庇は透明であっ
ても乳白色であってもバックライト光源による輝線が見えないようにすることができるが
、この部分を透明のままとすれば光の利用効率を高めることができる。
【００２２】
また、本願の請求項５に係る発明によれば、二色成形加工による乳白色部の成形は容易
かつ迅速であるとともに均一な品質の導光板が得られるため、高信頼性かつ高表示品質の
液晶表示装置が得られる。
【００２３】
また、本願の請求項６に係る発明によれば、ゲートドライバＩＣ及びソースドライバＩ
Ｃは、液晶表示パネルの額縁部に直接配置するいわゆるＣＯＧ方式でも、箔状電極を有す
る樹脂フィルムに支持するいわゆるＴＡＢ方式でも、さらには、液晶表示パネルとは別体
の駆動回路基板に配置する方式のものにも適用することができ、液晶表示装置のサイズに
応じて適切な方式のものを採用することが可能となる。
【００２４】
また、本願の請求項７に係る発明によれば、バックライト光源１本あたりの導光板への
入光量が多くなるから、低消費電力で高輝度の液晶表示装置が得られる。
【発明を実施するための最良の形態】
【００２５】
以下、本発明に係る液晶表示装置の一実施例について添付の図面を参照して詳細に説明
するが、本実施例の液晶表示装置の基本的構成は、図１及び図２に示した従来例の液晶表
示装置１０と実質的に同一であるので図１及び図２を援用することとし、また、同一の構
成部分については同一の参照符号を付与してその詳細な説明は省略する。ただし、以下に
示す実施例は、本発明の技術思想を具体化するためにゲートドライバＩＣ及びソースドラ
イバＩＣからなる駆動用ＩＣの固定方式としてＣＯＧ方式を採用した液晶表示装置を例示
するものであるが、本発明をこの実施例に特定することを意図するものではなく、本発明
は特許請求範囲に示した技術思想を逸脱することなく種々の変更を行ったものにも均しく
適用し得るものである。
【実施例】
【００２６】
図３は実施例に係る液晶表示装置に使用するバックライトの一部透視正面図であり、図
４は図３のバックライトの透視図であり、図５は図３のバックライトの底板部と反射板の
底を取り除いて背面側から見た背面図であり、図６は図２のＡ−Ａ線に対応する拡大断面
図である。
【００２７】
図３には、実施例で使用したバックライトにおいて、液晶表示パネル１１の下方に配置
した導光板１７及び透視した管状バックライト光源２１の配置が示されている。この実施
例においては、導光板１７の周辺にＵ字型の冷陰極管などの管状バックライト光源２１が
配置され、反射板１８、底板１９とともにバックライトが構成されている。
【００２８】
導光板１７は、アクリル樹脂、ポリカーボネート、ポリエチレンテレフタレート（ＰＥ
Ｔ）等の光透過率の高い透明樹脂板あるいは透明ガラス板より構成され、液晶表示パネル
の有効表示領域Ｄｅよりもわずかに大きな有効発光領域Ｒｅを有する略直方体の板であり
、その周囲には庇状に形成された部分を有しており、この庇状の部分が管状バックライト
光源の収納部を形成している。その側端面には２辺にまたがるＬ字型管状バックライト光
源又は３辺にまたがるＵ字型管状バックライト光源が配置され、さらに他の２辺又は１辺
にはこれらの管状バックライト光源に接続されるケーブルが配線されている。
【００２９】
導光板１７の前面は、発光面であり、光透過率の高い半透明のポリカーボネートなどか
らなる拡散シートが設けられ、管状バックライト光源からの光を均一に拡散させるように
なっている。また導光板１７の裏面には光を乱反射させるようにスクリーン印刷で散点状
の加工や傷やエンボス加工が施されている。さらに導光板の裏側には白色ポリエステルあ
るいはポリエステルフィルムに銀蒸着膜を施したものからなる反射板が配置されており、
これらの拡散シート、導光板、反射板、管状バックライト光源によりバックライトが構成
されている。
【００３０】
本実施例では、導光板１７の庇のうち、その２辺１７ｃと１７ｄの周辺に設けた管状バ
ックライト光源収納部２４の庇２３ｂを不透明、具体的には乳白色に成形し、Ｕ字型の管
状バックライト光源２１の１辺が表面からは視ることができないようになされている。こ
れに対し、周辺１７ｃ、１７ｄ側では、管状バックライト光源収納部２４の庇２３ｃを透
明に形成し、管状バックライト光源２１の部分が正面から透視できるようになされている
。内側の点線１７ｅから内側の部分は、液晶表示パネルの有効表示領域に対向する導光板
１７の有効発光領域Ｒｅである。また、管状バックライト光源２１にはケーブル２５を介
して外部接続用のコネクタ２６が接続されている。なお、図４は、図３では見えなかった
部分を含めて、導光板１７と管状バックライト光源２１とコネクタ２６の配置を示す前面
からの透視図である。また、管状バックライト光源２１の両端と途中の要所はランプホル
ダー２７により保持されている。これを底板部と反射板の底を取り除いて背面側から見た
背面図は図５のとおりとなる。
【００３１】
この実施例で使用した液晶表示パネル１１は、ゲートドライバＩＣ１２ａとソースドラ
イバＩＣ１２ｂとからなる駆動用ＩＣがそれぞれＣＯＧ方式によって液晶表示パネル１１
の一方の基板のそれぞれ別の辺に実装されている。この液晶表示パネル１１を前記の本実
施例で使用したバックライトの表面に載置すると、図２に示した従来例の液晶表示装置１
０の場合と同様の構成になる。この場合、導光板１７は、液晶表示パネル１１の接続辺、
つまり液晶表示パネル１１の各駆動用ＩＣ１２ａ、１２ｂが存在する側１１ａ及び１１ｂ
では、たとえば図７に示すように、液晶表示パネル１１の有効表示領域Ｄｅと管状バック
ライト光源２１との間には十分な距離がある。一方、液晶表示パネルの未接続辺、つまり
液晶表示パネル１１の各駆動用ＩＣ１２ａ、１２ｂが存在しない側１１ｃ及び１１ｄでは
、図８に示すように、液晶表示パネル１１の有効表示領域Ｄｅと管状バックライト光源２
１とは接近していてその間にほとんど距離的な余裕がない。そのため、液晶表示パネル１
１の各駆動用ＩＣ１２ａ、１２ｂが存在しない側１１ｃ及び１１ｄを観察者側から見ると
、管状バックライト光源２１の光が漏れて周辺に沿って明るい筋状の輝線として観察され
てしまう。
【００３２】
そこで、本実施例では、図２のＡ−Ａ線に対応する拡大断面図である図６に示したよう
に、導光板１７の管状バックライト光源収納部２４を形成する庇２３のうち、少なくとも
各駆動用ＩＣ１２ａ、１２ｂの配置がなく、液晶表示パネル１１の有効表示領域Ｄｅが周
辺まで迫っている側１１ｃ及び１１ｄにおいては、乳白色の庇２３ｂとして形成したもの
である。
【００３３】
前述のように、導光板１７は構造的にみると、バックライト光源収納部２４を形成する
庇２３が導光板につながるコーナー部２３ａに管状バックライト光源２１の光が集まりや
すいので、その部分が一番輝線になりやすい。そこで少なくともこの部分まで導光板１７
を乳白色に形成するのが好ましい。本実施例では、庇２３は１７ｃと１７ｄを乳白色の庇
２３ｂとし他の部分１７ａと１７ｂでは透明の庇２３ｃとしてある。しかし、ドライバＩ
Ｃ配置側を含む管状バックライト光源収納部２４の庇全体を乳白色に加工しても差し支え
ない。
【００３４】
かかる本発明の導光板１７の管状バックライト光源収納部２４の庇２３は、二色成形に
よって透明部分と乳白色部が製造されるのが好ましい。導光板は乳白色部を二色成形加工
によって形成することにより、乳白色部が容易に迅速に形成できるとともに、均一かつ正
確に形成できるので、信頼性が高いものが得られる。この二色成形は、管状バックライト
光源収納部２４の庇２３の厚み方向の一部分が乳白色の庇２３ａに形成されたものであっ
ても厚み方向に全体が乳白色の庇２３ａに加工されたものであっても差し支えない。
【００３５】
ここに二色成形は、よく知られているように二色又は二種類の樹脂からなる一体の製品
を作る成形方法を言う。通常、成形には二組の射出装置を備えた専用機を使う。まず、第
一シリンダから一色（一材）目を成形し一度型開きをして一次成形品をコア側に付着させ
たまま金型回転盤を１８０度回転させて型を閉じ、第二シリンダから二色（二材）目を成
形して、しかる後型開きを行い、成形品を金型から取り出すことにより製造し得る。二色
成形によれば導光板の透明部に対して乳白色部を形成するに際し、正確かつ均一に透明部
と乳白色部を形成できるので有効である。
【００３６】
なお、実施例において二色成型された導光板１７は透明部と乳白色部を有しているが、
乳白色部は不透明であれば必ずしも乳白色に限定されるものではない。輝線を防止するた
めに、光を吸収、反射等できるのであれば、薄い灰色などでも構わない。しかし適度に光
を遮光でき、光の再利用効率も灰色などに比べよいことなどから乳白色が好ましい。
【００３７】
管状バックライト光源２１が、Ｌ字状又はＵ字状のものであると、ランプ１本あたりの
導光板への入光量が多くなり、液晶表示装置１０は低消費電力で高輝度が得られるが、こ
れらのランプを使用しても、上述の構成によれば輝線の発生がなく、コンパクトで表示領
域の大きい液晶表示装置１０が得られる。
【００３８】
特に、例えば車載用や携帯型ＤＶＤプレイヤー用などの６インチから８インチクラスの
液晶表示装置等では、表示装置そのもののサイズが略その表示装置を搭載する機器の大き
さとなっており、表示エリアは従来通りのサイズを確保しながら、額縁部分を狭くするこ
とで表示装置を搭載する機器そののものの小型を図っている。したがって額縁部分が極め
て狭くなっている６〜８インチクラスの車載用などの液晶表示装置において、本発明は極
めて有効である。
【００３９】
以上には液晶表示装置としては、液晶表示パネル１１が、ゲートドライバＩＣ１２ａと
ソースドライバＩＣ１２ｂからなる駆動用ＩＣがＣＯＧ方式によって液晶表示パネル１１
の額縁部のそれぞれ別の辺に実装されている例で説明したが、ドライバＩＣが一つの辺に
集中されたものでも本発明を適用できる。また、これらの駆動用ＩＣはＣＯＧ方式によっ
て取り付けられたものだけでなく、箔状電極を有する樹脂フィルムに支持されたいわゆる
ＴＡＢ方式のものであっても、あるいは、液晶表示パネルとは別体の制御回路基板（図示
せず）に取り付ける形式のものであってもよい。
【００４０】
さらに、乳白色の庇２３ｂは、液晶表示パネルの各駆動用ＩＣが実装されていない周辺
に対向する導光板の周辺のみに設けるだけでなく、全ての辺にも設けてもよい。
【００４１】
なお、以上の実施例にかかわらず、乳白色部の庇２３ａの形状は、導光板の管状バック
ライト光源の形状と配置に応じて適宜設計することができることはもちろんである。
【００４２】
また、実施例においては冷陰極管からなる管状のバックライト光源についてのみ記して
いるが、バックライト光源は管状のものに限定されるわけではなく、例えば、ＬＥＤなど
の点状光源や、点状光源を同方向に配列させて線状の光源とするものでも構わない。光源
を配置し、表示エリアと光源との距離が近いために表示エリアに輝線が観察されてしまう
ものについて本発明は有効である。
【００４３】
またバックライト光源が一辺にしか配置されていないものでも、液晶表示パネルの未接
続辺にバックライト光源が配置されていれば、そちらに不透明な庇を形成しておけば輝線
を防止することができ、有効である。
【図面の簡単な説明】
【００４４】
【図１】従来例の液晶表示装置の分解斜視図である。
【図２】従来例に係る液晶表示装置の前面枠を取り除いた平面図である。
【図３】実施例に係る液晶表示装置に使用するバックライトの一部透視正面図である。
【図４】図３のバックライトの透視図である。
【図５】図３のバックライトの底板部と反射板の底を取り除いて背面側から見た背面図である。
【図６】実施例の液晶表示装置における図２のＡ−Ａ線に対応する拡大断面図である。
【図７】図２のＡ−Ａ線拡大断面図である。
【図８】図２のＢ−Ｂ線拡大断面図である。
【符号の説明】
【００４５】
１０    液晶表示装置
１１    液晶表示パネル
１２ａ    ゲートドライバＩＣ
１２ｂ    ソースドライバＩＣ
１３ａ、１３ｂ    プリント回路基板
１４    樹脂枠
１５ａ〜１５ｃ    光学シート
１７    導光板
１８    反射板
１９    底板
２１    管状バックライト光源
２２    前面枠
２３    庇
２３ａ    透明の庇
２３ｂ    乳白色の庇
２４    管状バックライト光源収納部
【図１】
2006171378.tif 000003
【図２】
2006171378.tif 000004
【図３】
2006171378.tif 000005
【図４】
2006171378.tif 000006
【図５】
2006171378.tif 000007
【図６】
2006171378.tif 000008
【図７】
2006171378.tif 000009
【図８】
2006171378.tif 000010